(57)【要約】【課題】植物又は疑似植物を活けるための花器として兼用させることができる容器付き清掃用具を提供する。【解決手段】被清掃体を接触清掃する清掃体２１と、この清掃体２１から延出する柄部２２と、この柄部２２の延出端部に形成された把持部２３とを備える清掃具２と、この清掃具２を収納するための収納容器３とからなる容器付き清掃用具１において、把持部２３に開口部２３６を穿設し、把持部２３内に開口部２３６に連なる中空空間２３５を形成し、清掃具２が収納容器３に収納された状態で、把持部２３の開口部２３６を露出させ、開口部２３６から挿入された植物又は疑似植物Ｐの茎部を中空空間２３５にて収容保持する。【選択図】図４
0003184718.tif 000002
【実用新案登録請求の範囲】
【請求項１】
被清掃体を接触清掃する清掃体と該清掃体から延出する柄部と該柄部の延出端部に形成された把持部とを備える清掃具と、該清掃具を収納するための収納容器とからなる容器付き清掃用具において、
前記把持部は、内部に中空空間が形成されるとともに、該中空空間に連なる開口部が穿設され、
前記把持部は、前記清掃具が前記収納容器に収納された状態で、前記開口部が露出し、露出する前記開口部から挿入された観賞用の植物又は疑似植物の茎部を前記中空空間が収容保持するようにしてあることを特徴とする容器付き清掃用具。
【請求項２】
前記把持部は、前記清掃具が前記収納容器に収納された状態で、前記開口部を含む把持部の全部又は一部が露出し、露出した把持部の形態と前記収納容器の形態とが清掃用具全体として一つの意匠を構成するようにしてあることを特徴とする請求項１に記載の容器付き清掃用具。
【請求項３】
前記把持部は、前記露出した部分の一部が切り欠かれた切欠部を備え、
前記清掃具は、前記収納容器に収納された状態で、前記切欠部が前記収納容器に形成された切欠受部で係止され、前記清掃体が前記収納容器の底面に接触することがないように懸吊されることを特徴とする請求項１又は２に記載の容器付き清掃用具。
【考案の詳細な説明】
【技術分野】
【０００１】
本考案は、被清掃体を接触清掃する清掃体と清掃体から延出する柄部と柄部の延出端部に形成される把持部とを備える清掃具と、清掃具を収納するための収納容器とをからなる容器付き清掃用具に関する。
【背景技術】
【０００２】
従来、便器や浴槽などの被清掃体を清掃するための用具として、ブラシやスポンジなどの「清掃具」が利用されている。
【０００３】
また、便器や浴槽などの底深の被清掃体を清掃する場合においては、被清掃体の底部に届くように「柄付き清掃具」が広く利用されている（例えば、特許文献１及び特許文献２）。
【０００４】
また、柄付き清掃具は、便所や浴室に設置される場合、清掃体を隠すため、及び、滴り落ちる排水を受け止めるため、収納容器に収納して保管されている（例えば、特許文献３及び特許文献４）。
【０００５】
ところで、清掃体である便器や浴槽は、汚れが目立つように、白一色且つ無模様とされているものが多く、これらが設置されている便所や浴室は、室内が殺風景で冷淡な雰囲気を有する場合が多い。
【０００６】
そのため、便所や浴室は、観賞用の植物又は疑似植物などを活けた花器が設置されるなどして、室内の装飾性向上のための取り組みがなされている。
【先行技術文献】
【特許文献】
【０００７】
【特許文献１】特開平９−１９２０５０号公報
【特許文献２】特開２００５−４０２６６号公報
【特許文献３】特開２００９−１７８４８８号公報
【特許文献４】登録実用新案第３０１２１７３号公報
【考案の概要】
【考案が解決しようとする課題】
【０００８】
しかしながら、便所や浴室は、狭小な空間となる場合が多いため、特許文献１乃至４に記載された「柄付き清掃具」と「これを収納する収納容器」とが設置された場合、花器を設置させる余剰空間が残っていない、という事態が生じやすい。そのため、室内の装飾性向上を犠牲にせざるを得ない、という問題を有している。
【０００９】
本考案はかかる事情を鑑みてなされたものであり、被清掃体を接触清掃する清掃体とこの清掃体から延出する柄部とこの柄部の延出端部に形成された把持部とを備える清掃具と、この清掃具を収納するための収納容器とからなる容器付き清掃用具において、把持部に開口部と開口部に連なる中空空間とを形成し、清掃具が収納容器に収納された状態で、把持部の開口部が露出するようにしておき、露出する開口部から挿入された植物又は疑似植物の茎部を中空空間にて収容保持することにより、植物又は疑似植物を活ける花器として機能を兼ね備える容器付き清掃用具を提供することを目的とする。
【課題を解決するための手段】
【００１０】
本願請求項１に係る考案は、被清掃体を接触清掃する清掃体と該清掃体から延出する柄部と該柄部の延出端部に形成された把持部とを備える清掃具と、該清掃具を収納するための収納容器とからなる容器付き清掃用具において、前記把持部は、内部に中空空間が形成されるとともに、該中空空間に連なる開口部が穿設され、前記把持部は、前記清掃具が前記収納容器に収納された状態で、前記開口部が露出し、露出する前記開口部から挿入された観賞用の植物又は疑似植物の茎部を前記中空空間が収容保持するようにしてあることを特徴とする。
【００１１】
本考案にあっては、清掃具が収納容器に収納された状態で、開口部が露出することにより、清掃具が収納容器に収納された状態で、植物又は疑似植物の茎部が開口部に差込可能となる。また、本考案にあっては、清掃具が収納容器に収納された状態で、中空空間に植物又は疑似植物が収容保持されることにより、植物又は疑似植物を保持する花器としての機能を兼ね備える。
【００１２】
本願請求項２に係る考案は、前記把持部は、前記清掃具が前記収納容器に収納された状態で、前記開口部を含む把持部の全部又は一部が露出し、露出した把持部の形態と前記収納容器の形態とが清掃用具全体として一つの意匠を構成するようにしてあることを特徴とする。
【００１３】
本考案にあっては、露出した清掃具の把持部の形態と、収納容器の形態とが清掃用具全体として一つの意匠を構成することにより、植物又は疑似植物を保持する花器としての審美性が高まり、室内装飾機能が高まる。また、従来の容器付き清掃用具にあっては、清掃具の把持部が露出しており、高い意匠性を有するとはいい難い（例えば、特許文献３及び４参照）。一方、意匠性を高めるべく、清掃具の把持部まで収納しようとする場合、収納容器が大型化して嵩張ることとなる。そこで、露出した把持部の形態と収納容器の形態とが一体の意匠を構成することにより、収納容器の大型化が抑えられつつ、全体としての意匠性が高まる。
【００１４】
本願請求項３に係る考案は、前記把持部は、前記露出した部分の一部が切り欠かれた切欠部を備え、前記清掃具は、前記収納容器に収納された状態で、前記切欠部が前記収納容器に形成された切欠受部で係止され、前記清掃体が前記収納容器の底面に接触することがないように懸吊されることを特徴とする。
【００１５】
本考案にあっては、把持部の切欠部が収納容器の切欠受部で受け止められ、清掃体が収納容器の底部に接触することがないように懸吊されることにより、清掃体の水切れが良好となり、清掃具が収納容器に衛生的に収納される。
【考案の効果】
【００１６】
本考案にあっては、清掃用具と花器との両方を設置させることが不可能な狭小な空間であっても、清掃機能と室内装飾機能とを兼ね備えた清掃用具を設置して、室内の装飾性向上を図ることができる。
【図面の簡単な説明】
【００１７】
【図１】本考案に係る容器付き清掃用具を示す図であり、清掃具が収納容器に収納された状態を示す斜視図である。
【図２】本考案に係る容器付き清掃用具を示す図であり、清掃具が収納容器から出入される状態を示す斜視図である。
【図３】本考案に係る容器付き清掃用具を示す図であり、清掃具が収納容器に収納された状態を示す側面図である。
【図４】本考案に係る容器付き清掃用具を示す図であり、清掃具が収納容器に収容された状態を示す側面視断面図である。
【考案を実施するための形態】
【００１８】
（容器付き清掃用具１の全体構造について）
本考案に係る容器付き清掃用具について、実施の形態を示す図面に基づいて以下説明する。図中において、１は、容器付き清掃用具である。容器付き清掃用具１は、図１乃至４に示すとおり、清掃具２と、収納容器３とを備える。
【００１９】
清掃具２は、被清掃体（図示せず、以下同じ。）を接触清掃するための器具であり、清掃体２１と、清掃体２１から延出する柄部２２と、柄部２２の延出端部に形成される把持部２３とを備える。
【００２０】
清掃体２１は、被清掃体に接触する部品であり、例えば、本実施の形態において、ブラシ形態、即ち、植設基台２１１と、植設基台２１１に略放射状に植設された多数の繊維毛２１０とを備える。
【００２１】
植設基台２１１は、耐久性の高い材質、例えば、ポリプロピレンにより形成されている。多数の繊維毛２１０は、植設基台２１１から最遠位置にある毛先同士が粗となり、各毛先が被清掃体に接触する一方、植設基台２１１に近い位置にある根元同士が密となるように植設されている。また、繊維毛２１０は、耐摩耗性、弾力性及び柔軟性に優れ、耐久性に優れた材質、例えば、ポリエステルにより形成されている。
【００２２】
柄部２２は、植設基台２１１に連続し、清掃体２１から延び出た直棒状の部品である。柄部２２は、耐久性の高い材質、例えば、植設基台２１１と同一のポリプロピレンにより形成されている。柄部２２は、清掃体２１から離れた位置、即ち、延出端部に、径方向（軸方向に直交する方向）に張り出した複数の鍔部２４，２４を備える。また、柄部２２は、鍔部２４の張り出し位置より更に延出端に寄った位置から、複数の楔状突起２５が柄の軸方向に沿って突き出ている。
【００２３】
把持部２３は、柄部２２の延出端部に取り付けられて、利用者により把持される部品である。また、把持部２３は、清掃体２１及び柄部２２と同一のポリプロピレンにより形成されている。また、把持部２３は、略円筒状をなし、円筒の内径が柄部２２の外径より大きくなるように形成されており、円筒の内部に柄部２２の延出端部が挿入可能となっている。
【００２４】
また、把持部２３は、円筒の内部の中程に区画壁２３１が設けられ、この区画壁２３１により二つの房に仕切られている。
【００２５】
把持部２３の第一房には、円筒の内壁から突き出た複数の押着リブ２３２，２３２，…が、房の開口付近から区画壁２３１に向かって平行して形成されている。房の奥に位置する区画壁２３１は、柄部２２の楔状突起２５を嵌め入れるための嵌入孔２３３が穿設されている。嵌入孔２３３は、孔縁が第二房側に折り返された返し片２３４を備える。また、また、把持部２３の第一房は、開口縁の一部が切り欠かれ、後述する収納容器３にて受け止められる切欠部２３０が形成されている。
【００２６】
把持部２３の第二房には、観賞用の植物又は疑似植物（以下「植物又は疑似植物Ｐ」という。）を収容保持するための中空空間２３５が形成され、中空空間２３５に連なるように開口部２３６が形成されている。中空空間２３５は、少なくとも、一本の植物又は疑似植物Ｐの茎部を収容保持することができる内径及び奥行きを有している。また、開口部２３６は、少なくとも、一本の植物又は疑似植物Ｐの茎部を挿入することができる内径を有している。
【００２７】
収納容器３は、清掃具２を収納するための器具であり、清掃体２１や柄部２２とは異なるアクリロニトリル−ブタジエン−スチレン共重合合成樹脂（ＡＢＳ樹脂）により形成されている。収納容器３は、清掃具２を出し入れするための出入用開口部３１と、出入用開口部３１の開口縁に形成された切欠受部３２と、容器の底部３３と、後述する蓋体４の揺動係止片４２を差し入れるための差入孔３４とを備える。
【００２８】
出入用開口部３１は、清掃具２を出し入れするための開口部であり、出し入れする清掃具２の繊維毛２１０の毛先が接触することがないような開口縁の寸法を有する。また、出入用開口部３１は、開口縁が、正面側を向くように、即ち、清掃具２を正面側に出し入れ可能なように形成されている。
【００２９】
切欠受部３２は、清掃具２の切欠部２３０を受け止める部分であり、出入用開口部３１の開口縁の背面側付近に、清掃具２の切欠部２３０を受け止めることができる形状及び寸法となるように形成されている。
【００３０】
底部３３は、容器付き清掃用具１の底部をなす部分であり、収納容器３の内部の湿気を排気するために、底板となる部分が除かれて開口状態とされている。また、底部３３は、正面側に、後述する蓋体４の揺動係止片４２を差し入れるための差入孔３４が穿設されている。差入孔３４は、揺動係止片４２が遊嵌するような形状及び寸法となるように形成されている。
【００３１】
蓋体４は、収納容器３の出入用開口部３１を閉塞するための部品であり、収納容器３と同一のＡＢＳ樹脂により形成されている。また、蓋体４は、底面部に、清掃具２から滴り落ちる排水を受け止めるための受皿部４１と、収納容器３の差入孔３４に差し入れる揺動係止片４２とを備える。
【００３２】
受皿部４１は、清掃具２から滴り落ちる排水を受け止めるように、蓋体４の蓋面から連続し、受皿状に形成されている。揺動係止片４２は、蓋体４の蓋面から連続し、受皿部４１より正面側の位置から下方に突き出ている。揺動係止片４２は、差入孔３４に差し入れた状態で、蓋体４が揺動するような形状及び寸法となるように形成されている。
【００３３】
（容器付き清掃用具１の使用方法について）
本考案に係る容器付き清掃用具１は、前述するように、複数の器具、部品及び部分により構成されている。そこで、これらの複数の器具及び部品同士を組み合わせて、容器付き清掃用具１を使用する方法について説明する。
【００３４】
柄部２２は、延出端部が把持部２３の円筒内部に挿入され、楔状突起２５が把持部２３の嵌入孔２３３に嵌め入れられる。柄部２２は、楔状突起２５の楔部分が、把持部２３の返し片２３４を強制的に押し広げながら嵌め入れられ、嵌入孔２３３を貫通した状態で、この返し片２３４に引っ掛かり、柄部２２が把持部２３から抜けないように規制する。このとき、柄部２２は、鍔部２４，２４が把持部２３の押着リブ２３２，２３２，…からの圧力を受け、柄部２２が把持部２３から抜け難く、且つ、把持部２３から軸方向に沿って延び出た状態が保持される。
【００３５】
蓋体４は、揺動係止片４２が収納容器３の差入孔３４に差し込まれ、収納容器３に対して揺動自在に取り付けられる。蓋体４は、揺動することにより、出入用開口部３１を閉塞する状態と、出入用開口部３１を開放する状態とに変化する。
【００３６】
蓋体４は、図２に示すとおり、揺動し、蓋面が正面側に倒れ込む状態、即ち、出入用開口部３１を開放する状態となる。そして、清掃具２は、開放された出入用開口部３１を介して内部に収納される。
【００３７】
清掃具２は、図１、３及び４に示すとおり、蓋体４が出入用開口部３１を閉塞する状態で、蓋体４の受皿部４１が収納容器３の底面となるような位置及び姿勢となる。このとき、清掃具２は、把持部２３の切欠部２３０が収納容器３の切欠受部３２にて受け止められ、清掃体２１が収納容器３の底面、即ち、蓋体４の受皿部４１に接触しないように懸吊された状態となる。また、清掃具２は、清掃体２１から滴り落ちる排水が、蓋体４の受皿部４１にて受け止められる。
【００３８】
また、容器付き清掃用具１は、図１乃至４に示すとおり、開口部２３６を含む把持部２３が、露出する状態となり、露出する把持部２３の形状と、収納容器３の形状と、蓋体４の形状とが一体となって、略円錐台状という一つの意匠を構成する。
【００３９】
また、容器付き清掃用具１は、露出する開口部２３６に、植物又は疑似植物Ｐの茎部が挿入され、中空空間２３５が、植物又は疑似植物Ｐの茎部を収容保持する。その結果、容器付き清掃用具１は、植物又は疑似植物Ｐを活けるための花器としての機能を兼ね備える。
【００４０】
また、容器付き清掃用具１は、図２に示すとおり、蓋体４が出入用開口部３１を再び開放する状態で、清掃具２が出入用開口部３１を介して外部に取出される。取出された清掃具２は、本来の機能により、被清掃体の不要物を除去する。
【００４１】
なお、本実施の形態において、容器付き清掃用具１は、開口部２３６を含む把持部２３の全部が露出している。しかしながら、本考案は、これに限定されるものでなく、例えば、開口部２３６を含む把持部２３の一部が露出する場合であってもよい。
【００４２】
また、本実施の形態において、容器付き清掃用具１は、把持部２３の中空空間２３５が、植物又は疑似植物Ｐを遊びがあるように収容保持する。即ち、把持部２３の開口部２３６が水平方向又は下方に向けられた場合には、把持部２３の中空空間２３５から植物又は疑似植物Ｐが脱落する。しかしながら、本考案は、これに限定されるものでなく、例えば、複数の弾性舌片（弾性突起）が、中空空間２３５の内壁から突き出すようにしてもよい。その結果、複数の弾性舌片（弾性突起）が、植物又は疑似植物Ｐの茎部を弾性押圧し、開口部２３６がどのような方向を向く場合であっても、植物又は疑似植物Ｐの脱落を防ぐ。
【００４３】
また、本実施の形態において、清掃体２１は、多数の繊維毛２１０が植設基台２１１に略放射状に植設されたブラシ形態を有する。しかしながら、本考案、これに限定されるものではなく、清掃体２１が、ポリウレタン等の合成樹脂を発泡成形されて細かな孔が無数にあいた多孔質の物質であるスポンジ形態を有してもよい。
【００４４】
また、本実施の形態において、容器付き清掃用具１は、「清掃用具」として説明されているが、本考案は、これに限定されるものでなく、コップなどの洗浄を目的とする「洗浄用具」であってもよい。この場合、容器付き清掃用具１は、台所空間の装飾性を向上させる目的で使用されることとなる。
【符号の説明】
【００４５】
１  容器付き清掃用具
２  清掃具
２１  清掃体
２１０  繊維毛
２１１  植設基台
２２  柄部
２３  把持部
２３０  切欠部
２３１  区画壁
２３２  押着リブ
２３３  嵌入孔
２３４  返し片
２３５  中空空間
２３６  開口部
２４  鍔部
２５  楔状突起
３  収納容器
３１  出入用開口部
３２  切欠受部
３３  底部
３４  差入孔
４  蓋体
４１  受皿部
４２  揺動係止片
【図１】
0003184718.tif 000003
【図２】
0003184718.tif 000004
【図３】
0003184718.tif 000005
【図４】
0003184718.tif 000006